(57)【特許請求の範囲】
【請求項１】
電動工具に連結されることで、その電動工具の駆動用電源として使用され、充電器に連結されることで充電が可能に構成された電動工具用バッテリであって、
樹脂製のバッテリハウジングと、
前記バッテリハウジングの外側から内側まで貫通しており、そのバッテリハウジングの表面から一定寸法だけ外部に突出している部位に前記電動工具の端子、あるいは前記充電器の端子が挿入接続可能に構成されたバッテリ端子とを備えており、
前記バッテリ端子と前記バッテリハウジングとはインサート成形により一体化されていることを特徴とする電動工具用バッテリ。
【請求項２】
請求項１に記載された電動工具用バッテリであって、
前記バッテリ端子は、放電、あるいは充電端子と、信号端子とを備えていることを特徴とする電動工具用バッテリ。
【請求項３】
請求項１又は請求項２のいずれかに記載された電動工具用バッテリであって、
電気回路基板を備えており、
前記電気回路基板は、前記バッテリ端子が接続可能な状態で、前記バッテリハウジングの内壁面に固定されていることを特徴とする電動工具用バッテリ。
【請求項４】
請求項３に記載された電動工具用バッテリであって、
前記電気回路基板と前記バッテリハウジングの内壁面との間には、その電気回路基板に取付けられた電子素子を囲むようにシール材が設けられていることを特徴とする電動工具用バッテリ。
【請求項５】
請求項３に記載された電動工具用バッテリであって、
前記バッテリハウジングの内壁面に囲い塀が形成されており、その囲い塀の内側に前記電気回路基板が配置されて、その電気回路基板を覆うように前記囲い塀の内側に防水性の充填材が充填されていることを特徴とする電動工具用バッテリ。
【発明の詳細な説明】
【技術分野】
【０００１】
本発明は、電動工具に連結されることで、その電動工具の駆動用電源として使用され、充電器に連結されることで充電が可能に構成された電動工具用バッテリに関する。
【背景技術】
【０００２】
これに関連する電動工具用バッテリが特許文献１に記載されている。
この電動工具用バッテリは、図１１に示すように、バッテリハウジングの蓋部１１０に左右一対の案内スリット１１２が前後方向に延びるように形成されている。左右一対の案内スリット１１２は、電動工具用バッテリに電動工具、あるいは充電器が連結される際に、その電動工具等の板状のターミナル（図示省略）がそれぞれ前方から挿入可能なように構成されている。そして、左右の案内スリット１１２の内側（蓋部１１０の内側）に電動工具等のターミナルが接続される正電極１１３、負電極１１４がそれぞれ電気回路基板（図示省略）に取付けられた状態で配置されている。さらに、蓋部１１０の左右の案内スリット１１２間には、信号用案内スリット１１７とコネクタ用開口１１６が形成されている。そして、信号用案内スリット１１７の内側に電動工具等の信号ターミナルが接続される信号電極１１５が前記電気回路基板に取付けられた状態で配置されている。また、コネクタ用開口１１６には、前記電気回路基板のコネクタ１１９が通されている。コネクタ１１９は、充電器等のコネクタ（図示省略）が接続されるように、前方を指向した状態で形成されている。
【先行技術文献】
【特許文献】
【０００３】
【特許文献１】特開２００１−１４３６７８号公報
【発明の概要】
【発明が解決しようとする課題】
【０００４】
しかし、上記した電動工具用バッテリは、蓋部１１０に形成された案内スリット１１２等の内側に正電極１１３、負電極１１４等が配置されており、コネクタ用開口１１６からコネクタ１１９が突出する構成である。このため、電動工具用バッテリに水が掛かると、その水が案内スリット１１２やコネクタ用開口１１６等の隙間からバッテリハウジングの内側に入り込むことがある。
【０００５】
本発明は、上記問題点を解決するためになされたものであり、本発明が解決しようとする課題は、コストアップとならないように電動工具用バッテリの防水性能を向上させることである。
【課題を解決するための手段】
【０００６】
上記した課題は、各請求項の発明によって解決される。
請求項１の発明は、電動工具に連結されることで、その電動工具の駆動用電源として使用され、充電器に連結されることで充電が可能に構成された電動工具用バッテリであって、  樹脂製のバッテリハウジングと、前記バッテリハウジングの外側から内側まで貫通しており、そのバッテリハウジングの表面から一定寸法だけ外部に突出している部位に前記電動工具の端子、あるいは前記充電器の端子が挿入接続可能に構成されたバッテリ端子とを備えており、前記バッテリ端子と前記バッテリハウジングとはインサート成形により一体化されていることを特徴とする。
【０００７】
本発明によると、バッテリ端子とバッテリハウジングとはインサート成形により一体化されている。このため、バッテリ端子がバッテリハウジングの外側から内側まで貫通していても、バッテリ端子とバッテリハウジング間に隙間が存在せず、水がバッテリ端子の位置からバッテリハウジングの内側に浸入することがない。
また、バッテリ端子とバッテリハウジングとをインサート成形により一体化する構成のため、バッテリ端子とバッテリハウジング間にシール材等が不要になる。このため、防水性能を向上させてもコストアップにならない。
なお、バッテリ端子には、端子のみならずコネクタ等も含むものとする。
【０００８】
請求項２の発明によると、バッテリ端子は、放電、あるいは充電端子と、信号端子とを備えていることを特徴とする。
請求項３の発明によると、電気回路基板を備えており、前記電気回路基板は、前記バッテリ端子が接続可能な状態で、前記バッテリハウジングの内壁面に固定されていることを特徴とする。
このため、バッテリ端子と電気回路基板間の配線を省略できる。
【０００９】
請求項４の発明によると、電気回路基板とバッテリハウジングの内壁面との間には、その電気回路基板に取付けられた電子素子を囲むようにシール材が設けられていることを特徴とする。
このため、電気回路基板の防水性能が向上する。
【００１０】
請求項５の発明によると、バッテリハウジングの内壁面に囲い塀が形成されており、その囲い塀の内側に前記電気回路基板が配置されて、その電気回路基板を覆うように前記囲い塀の内側に防水性の充填材が充填されていることを特徴とする。
このため、電気回路基板の防水性能が向上するとともに、バッテリハウジングに対する電気回路基板の取付け強度も向上する。
【発明の効果】
【００１１】
本発明によると、コストアップとならないように、電動工具バッテリの防水性能を向上させることができる。
【図面の簡単な説明】
【００１２】
【図１】本発明の実施形態１に係る電動工具用バッテリを上方から見た全体斜視図である。
【図２】前記電動工具用バッテリの平面図である。
【図３】図２のIII-III矢視断面図である。
【図４】図２のIV-IV矢視断面図である。
【図５】バッテリハウジングの蓋部を内側から見上げた斜視図である。
【図６】バッテリハウジングの蓋部の内側に電気回路基板を取付けた状態を表す斜視図である。
【図７】バッテリハウジングの蓋部に対する電気回路基板の取付け構造を表す模式縦断面図である。
【図８】本発明の実施形態２に係る電動工具用バッテリにおけるバッテリハウジングの蓋部に対する電気回路基板の取付け構造を表す模式縦断面図である。
【図９】本発明の実施形態３に係る電動工具用バッテリにおけるバッテリハウジングの蓋部に対する電気回路基板の取付け構造を表す模式縦断面図である。
【図１０】本発明の実施形態３に係る電動工具用バッテリにおけるバッテリハウジングの蓋部に対する電気回路基板の取付け構造の変更例を表す模式縦断面図である。
【図１１】従来のバッテリハウジングの蓋部を上方から見た斜視図である。
【発明を実施するための形態】
【００１３】
［実施形態１］
以下、図１から図７に基づいて本発明の実施形態１に係る電動工具用バッテリについて説明する。
なお、図中に記載された前後左右及び上下は、電動工具用バッテリの前後左右及び上下に対応している。
【００１４】
＜電動工具用バッテリ１０の概要について＞
電動工具用バッテリ１０は、図３等に示すように、複数本（図３では10本）の円柱形の蓄電池Ｃ（以下、セルＣという）を収納するバッテリハウジング１１を備えている。バッテリハウジング１１は、上部開放型のハウジング本体部１２と、そのハウジング本体部１２の上部開口１２ｈ（図３参照）を塞ぐ蓋部１４とから構成されている。蓋部１４とハウジング本体部１２とは、平面略角形に形成されており、その蓋部１４がハウジング本体部１２に対して周囲４箇所でネジ止めされようになっている（図５等参照）。
前記セルＣは、軸心をバッテリハウジング１１の左右方向（幅方向）に一致させた状態で、前後方向に5本並べられており、その5本一組のセルＣが二段に重ねられている。そして、前記セルＣの上に電動工具用バッテリ１０の放電制御、あるいは充電制御を行うための電気回路基板４０が配置されている。
また、バッテリハウジング１１の後部には、図３等に示すように、スライドロック用のフック３０がコイルバネ３１により上方に付勢された状態で収納されている。前記フック３０は、電動工具、あるいは充電器（図示省略）と電動工具用バッテリ１０とのスライド連結後に、電動工具等と電動工具用バッテリ１０との相対スライドを禁止して両者を連結状態に保持する部材である。フック３０は、そのフック３０の操作部３４を押圧操作によりバネ力に抗して押し下げることで、前記フック３０のロック爪３２が電動工具等から外れるように構成されている。これにより、電動工具等と電動工具用バッテリ１０とのスライドロック状態が解除される。
【００１５】
＜バッテリハウジング１１の蓋部１４について＞
バッテリハウジング１１の蓋部１４には、図１、図２に示すように、その上面左右両側位置に電動工具、あるいは充電器（図示省略）との連結に使用されるスライドレール２５が前後方向に延びるように形成されている。さらに、蓋部１４の上面中央部には、左右のスライドレール２５の間に、左右一対の正電極４３と負電極４４が配置されている。前記正電極４３と負電極４４は、電動工具等を電動工具用バッテリ１０（蓋部１４）に連結する際に、電動工具等の板状のターミナル（図示省略）が接続される端子である。即ち、正電極４３と負電極４４とは、蓋部１４の上面から一定寸法だけ上方に突出しており、電動工具等が電動工具用バッテリ１０に対して相対スライドする際に、その電動工具等の板状のターミナルが前方から挿入接続可能なように構成されている。そして、正電極４３と負電極４４との一部が、図５に示すように、蓋部１４の内側に突出しており、この突出部４３ｔ，４４ｔが電気回路基板４０に接続されるようになっている。
【００１６】
また、前記蓋部１４の上面中央部には、図１等に示すように、正電極４３の左側位置に、第１信号電極４５と第２信号電極４６とが前後に配列された状態で設けられている。第１信号電極４５と第２信号電極４６とは、蓋部１４の上面から一定寸法だけ上方に突出しており、電動工具、あるいは充電器が電動工具用バッテリ１０に対して相対スライドする際に、その電動工具、あるいは充電器の信号ターミナル（図示省略）が前方から挿入接続可能なように構成されている。そして、第１信号電極４５と第２信号電極４６との一部が、図５に示すように、蓋部１４の内側に突出しており、この突出部４５ｔ，４６ｔが電気回路基板４０に接続されるようになっている。
【００１７】
また、蓋部１４の上面中央部には、図１等に示すように、第１信号電極４５、第２信号電極４６と負電極４４との間にコネクタ４７が配置されている。コネクタ４７は、蓋部１４の上面から上方に突出しており、前記充電器等が電動工具用バッテリ１０に対して相対スライドする際に、その充電器等のコネクタ（図示省略）が前方から接続されるように構成されている。そして、コネクタ４７の導体部分４７ｃが、図５に示すように、蓋部１４の内側に突出して、これらの導体部分４７ｃが電気回路基板４０に接続されるようになっている。
ここで、前記コネクタ４７と、正電極４３、負電極４４、第１信号電極４５、及び第２信号電極４６等のバッテリ端子は、蓋部１４を樹脂成形する際に金型内にセット（インサート）される。そして、前記バッテリ端子（コネクタ４７、正電極４３、負電極４４等）が前記金型内にセットされた状態で、その金型内に樹脂が射出されて蓋部１４が成形される。即ち、コネクタ４７、正電極４３、負電極４４、第１信号電極４５、及び第２信号電極４６等のバッテリ端子と蓋部１４とは、インサート成形により一体化されている。
即ち、正電極４３と負電極４４が本発明の放電、あるいは充電端子に相当し、第１信号電極４５、第２信号電極４６等は本発明の信号端子に相当する。
【００１８】
前記蓋部１４の上面後部には、図１、図２等に示すように、左右のスライドレール２５の後方に前記フック３０のロック爪３２を上方に突出させるための平面略コ字形の爪用開口２８が形成されている。そして、爪用開口２８の後方にフック３０の操作部３４を露出させるための切欠き状の角形開口２９が形成されている。
【００１９】
＜電気回路基板４０及びその取付けについて＞
電気回路基板４０は、電動工具用バッテリ１０の放電制御、あるいは充電制御を行うための基板であり、マイコン等の電子素子を備えている。さらに、電気回路基板４０は、前記コネクタ４７、正電極４３、負電極４４、第１信号電極４５、及び第２信号電極４６等のバッテリ端子が接続できるように構成されている。前述のように、コネクタ４７、正電極４３、負電極４４等のバッテリ端子は蓋部１４と一体化されているため、電気回路基板４０は前記バッテリ端子と接続が可能な所定位置に位置決めされた状態で蓋部１４の内壁面に固定される。即ち、蓋部１４の内壁面には、図５等に示すように、所定位置に前後のネジ孔部１４ｎが形成されており、それらのネジ孔部１４ｎにネジ１６（図６、図７参照）がねじ込まれることで、電気回路基板４０が蓋部１４の内壁面の所定位置に固定される。
また、電気回路基板４０の表面には、図７に示すように、絶縁性、かつ防水性の接着剤からなるシール材５１が塗布されている。
【００２０】
＜本実施形態に係る電動工具用バッテリ１０の長所について＞
本実施形態に係る電動工具用バッテリ１０によると、コネクタ４７、正電極４３、負電極４４、第１信号電極４５、及び第２信号電極４６等のバッテリ端子と蓋部１４とは、インサート成形により一体化されている。このため、バッテリ端子（正電極４３、負電極４４等）が蓋部１４の外側から内側まで貫通していても、前記バッテリ端子と蓋部１４間に隙間が生じることがなく、水がバッテリ端子の位置から蓋部１４の内側に浸入することがない。
また、バッテリ端子（正電極４３、負電極４４等）と蓋部１４とをインサート成形により一体化する構成のため、バッテリ端子（正電極４３、負電極４４等）と蓋部１４間にシール材等が不要になる。このため、電動工具用バッテリ１０の防水性能を向上させてもコストアップにならない。
また、電気回路基板４０は、バッテリ端子（正電極４３、負電極４４等）が接続可能な状態で、蓋部１４の内壁面に固定されているため、バッテリ端子（正電極４３、負電極４４等）と電気回路基板４０間の配線を省略できる。
【００２１】
［実施形態２］
次に、図８に基づいて、発明の実施形態２に係る電動工具用バッテリ１０の説明を行う。
本実施形態に係る電動工具用バッテリ１０は、実施形態１において説明した電気回路基板４０の取付け構造を変更したものであり、その他の構成については、実施形態１の電動工具用バッテリ１０の構成と同様である。
本実施形態に係る電動工具用バッテリ１０の蓋部１４には、電気回路基板４０が配置される部分を囲むように一定高さの囲い塀１４ｗが形成されている。そして、電気回路基板４０が囲い塀１４ｗの内側に収納された状態で、その電気回路基板４０がネジ１６により蓋部１４の内壁面（ネジ孔部１４ｎ）に固定されている。
さらに、電気回路基板４０の表面と蓋部１４の内壁面との間には、電気回路基板４０のマイコン等の電子素子（図示省略）を囲むように、リング状のシール材５２が設けられている。
このように、蓋部１４の内壁面に囲い塀１４ｗが設けられているため、仮に蓋部１４の内側に水が入り込んだとしても、その水が蓋部１４の内壁面を伝って電気回路基板４０の位置まで到達することがない。さらに、シール材５２が電気回路基板４０の表面を周囲から覆っているため、電気回路基板４０の防水性がさらに向上する。
【００２２】
［実施形態３］
次に、図９、図１０に基づいて、発明の実施形態３に係る電動工具用バッテリ１０の説明を行う。
本実施形態に係る電動工具用バッテリ１０は、実施形態１において説明した電気回路基板４０の取付け構造を変更したものであり、その他の構成については、実施形態１の電動工具用バッテリ１０の構成と同様である。
本実施形態に係る電動工具用バッテリ１０の蓋部１４には、実施形態２の場合と同様に、電気回路基板４０が配置される部分を囲むように一定高さの囲い塀１４ｗが形成されている。そして、前記囲い塀１４ｗの内側に電気回路基板４０が収納されて、その電気回路基板４０が、図９に示すように、絶縁性、かつ防水性の接着剤からなる充填材５４によって全体的に覆われている。
これにより、電気回路基板４０の防水性が向上するとともに、電気回路基板４０を堅固に蓋部１４の内壁面に固定することができる。
ここで、図１０に示すように、電気回路基板４０を囲い塀１４ｗの内側でネジ１６により蓋部１４の内壁面に固定し、その電気回路基板４０を前記充填材５４によって全体的に覆う構成でも可能である。
【００２３】
＜変更例＞
ここで、本発明は上記実施形態に限定されるものではなく、本発明の要旨を逸脱しない範囲における変更が可能である。例えば、本実施形態では、正電極４３、負電極４４等のバッテリ端子と電気回路基板４０とが直接的に接続されるように、電気回路基板４０を蓋部１４の内壁面に固定する例を示したが、電気回路基板４０の位置を変更して、電気回路基板４０とバッテリ端子（正電極４３、負電極４４等）とをリード線で接続することも可能である。
また、全てのバッテリ端子をインサート成形により蓋部１４と一体化する例を示したが、一部のバッテリ端子（幅方向外側に配置された正電極４３、負電極４４等）のみをインサート成形により蓋部１４と一体化することも可能である。
【符号の説明】
【００２４】
１１・・・・バッテリハウジング
１２・・・・ハウジング本体部
１４ｗ・・・囲い塀
１４・・・・蓋部
２５・・・・スライドレール
４０・・・・電気回路基板
４３・・・・正電極（バッテリ端子、放電、あるいは充電端子）
４４・・・・負電極（バッテリ端子、放電、あるいは充電端子）
４５・・・・第1信号電極（バッテリ端子、信号端子）
４６・・・・第２信号電極（バッテリ端子、信号端子）
４７・・・・コネクタ（バッテリ端子）
５２・・・・シール材
５４・・・・充填材
【図１】
0005524105.tif 000002
【図２】
0005524105.tif 000003
【図３】
0005524105.tif 000004
【図４】
0005524105.tif 000005
【図５】
0005524105.tif 000006
【図６】
0005524105.tif 000007
【図７】
0005524105.tif 000008
【図８】
0005524105.tif 000009
【図９】
0005524105.tif 000010
【図１０】
0005524105.tif 000011
【図１１】
0005524105.tif 000012